(57)【要約】【課題】通常放送受信回路の局部発振信号の影響を抑止でき、防災無線受信機の受信能力の低下を防止できる防災無線放送受信機および防災行政無線システムを提供する。【解決手段】防災無線信号を受信する防災無線受信回路１２と、通常の放送信号を受信し、局部発振信号に基づき中間周波信号を得るＡＭ／ＦＭ受信回路１３と、防災無線受信回路１２とＡＭ／ＦＭ受信回路１３とで、共用可能なオーディオアンプ１４と、防災無線受信回路１２とＡＭ・ＦＭ受信回路１３の出力をオーディオアンプ１４に選択的に入力する切替スイッチ１６と、防災無線信号を受信して無い場合にはＡＭ／ＦＭ受信回路１３の出力を選択し防災無線信号を受信している場合には防災無線受信回路１２の出力を選択するように切替スイッチ１６に指示するスケルチ回路１２２と、を有し、ＦＭ放送受信回路の局部発振周波数が中間周波数分だけＦＭ放送信号の周波数に加算するように設定される。【選択図】図２
2007043641.tif 000002
【特許請求の範囲】
【請求項１】
防災無線信号を受信する防災無線受信回路と、
通常の放送信号を受信し、少なくとも局部発振信号に基づき中間周波信号を得る機能を有する放送受信回路と、
上記防災無線受信回路と上記放送受信回路とで、共用可能な出力アンプと、
上記防災無線受信回路および上記放送受信回路の出力を上記出力アンプに選択的に入力する切替スイッチと、
上記防災無線信号を受信して無い場合には上記放送受信回路の出力を選択し、上記防災無線信号を受信している場合には上記防災無線受信回路の出力を選択するように上記切替スイッチに指示する回路と、を有し、
上記放送受信回路の局部発振周波数が中間周波数分だけ上記放送信号の周波数に加算するように設定される
防災無線放送受信機。
【請求項２】
上記防災無線受信回路は、上記通常の放送信号を受信している状態であっても、防災無線信号を受信したことを検知する検知手段を備え、
上記検知手段により防災無線信号が検知されていない場合には、上記切替スイッチは、上記放送受信回路の出力を選択し、
上記検知手段により防災無線信号が検知された場合には、上記切替スイッチは、上記防災無線受信回路の出力を選択する
請求項１記載の防災無線放送受信機。
【請求項３】
上記検知手段は、上記防災無線受信回路の出力信号に含まれる雑音の大きさが予め設定された値より大きいか小さいかを比較し、雑音の方が大きい場合には防災無線が検知されていないと認識し、雑音の方が小さい場合には防災無線信号が検知されたと認識する
請求項２記載の防災無線放送受信機。
【請求項４】
上記放送信号はＦＭ放送信号であり、上記防災無線信号の周波数帯は、上記ＦＭ放送信号の周波数から上記中間周波数分だけ減じた周波数帯あるいは当該周波数帯近傍に設定されている
請求項１から３のいずれか一に記載の防災無線放送受信機。
【請求項５】
防災無線信号を送信する親局と、
上記親局からの防災無線信号を受信可能な防災無線放送受信機と、を有し、
上記防災無線放送受信機は、
防災無線信号を受信する防災無線受信回路と、
通常の放送信号を受信し、少なくとも局部発振信号に基づき中間周波信号を得る機能を有する放送受信回路と、
上記防災無線受信回路と上記放送受信回路とで、共用可能な出力アンプと、
上記防災無線受信回路および上記放送受信回路の出力を上記出力アンプに選択的に入力する切替スイッチと、
上記防災無線信号を受信して無い場合には上記放送受信回路の出力を選択し、上記防災無線信号を受信している場合には上記防災無線受信回路の出力を選択するように上記切替スイッチに指示する回路と、を有し、
上記放送受信回路の局部発振周波数が中間周波数分だけ上記放送信号の周波数に加算するように設定される
防災行政無線システム。
【請求項６】
上記防災無線受信回路は、上記通常の放送信号を受信している状態であっても、防災無線信号を受信したことを検知する検知手段を備え、
上記検知手段により防災無線信号が検知されていない場合には、上記切替スイッチは、上記放送受信回路の出力を選択し、
上記検知手段により防災無線信号が検知された場合には、上記切替スイッチは、上記防災無線受信回路の出力を選択する
請求項５記載の防災行政無線システム。
【請求項７】
上記検知手段は、上記防災無線受信回路の出力信号に含まれる雑音の大きさが予め設定された値より大きいか小さいかを比較し、雑音の方が大きい場合には防災無線が検知されていないと認識し、雑音の方が小さい場合には防災無線信号が検知されたと認識する
請求項６記載の防災行政無線システム。
【請求項８】
上記放送信号はＦＭ放送信号であり、上記防災無線信号の周波数帯は、上記ＦＭ放送信号の周波数から上記中間周波数分だけ減じた周波数帯あるいは当該周波数帯近傍に設定されている
請求項５から７のいずれか一に記載の防災行政無線システム。
【発明の詳細な説明】
【技術分野】
【０００１】
本発明は、市町村等の行政機関で用いる防災行政無線システムおよび防災行政無線を受信可能な防災無線放送受信機に関するものである。
【背景技術】
【０００２】
市町村等の行政機関では、地震、火災、水害等の災害時の緊急通報、避難情報や、一般行政事務に関する情報等を市町村内に居住する住民に報知する防災行政無線システムを採用している。
上記の防災行政無線システムは、たとえば、市町村の役所等に設置された親局と、市町村内の各地区に受信装置、スピーカ等を備えた屋外拡声受信装置と、各居住者の家庭内に設置された戸別受信機等を有するシステムからなる。
緊急時には、親局から各種情報が送信され、屋外拡声受信装置は受信した情報をスピーカを通じて拡声し、屋外拡声受信装置の設置された一帯の住民に報知する。
また、親局から送信された各種情報は、戸別受信機によっても受信され、戸別受信機を通じて各世帯の住民に緊急情報を報知する。
上記のように、防災行政無線システムは主として緊急時の情報を速やかに住民に知らせるためのものであるとともに、所定の時間毎に一般行政事務に関する情報や、正時等を報知するのにも使用される。
【発明の開示】
【発明が解決しようとする課題】
【０００３】
上記した防災行政無線システムでは、各家庭に設置される戸別受信機は、親局から送信された無線信号を受信して自動的にスピーカ等から出力する自動着信機能を有しており、受信部は無線信号を常時受信可能である。
【０００４】
また、戸別受信機には、防災無線受信機の他に、ＡＭラジオ／ＦＭラジオ受信回路も搭載され、ＡＭラジオまたはＦＭラジオを聴取可能に構成される。
そして、戸別受信機においては、防災無線が通常のラジオ放送受信中であっても、防災放送を感知して自動的に防災放送受信に切り替わるような方式がとられる。
【０００５】
ＦＭ放送の局部発振周波数は、一般的に放送周波数より中間周波数だけ減算した周波数に設定される。
従来の戸別受信機では、既存のＦＭラジオ受信回路と防災無線受信機をスイッチで切り替えて、ＦＭラジオ受信と防災無線受信を切り替えているのが一般的である。
【０００６】
ところで、ＦＭラジオと防災無線受信機を組み合わせた戸別受信機において、ＦＭラジオの局部発振周波数と防災無線放送の周波数が近づいたり、最悪の場合、重なったりした場合には、局部発振信号が近傍に配置される防災無線受信機に受信され、いわゆる混信状態となったり、局部発振信号のレベルが大きいと、防災受信信号の代わりに局部発振信号を受信してしまい、防災無線受信機の受信能力が極端に低下してしまうという不利益がある。
【０００７】
本発明の目的は、通常放送受信回路の局部発振信号の影響を抑止でき、防災無線受信機の受信能力の低下を防止できる防災無線放送受信機およびこの防災無線放送受信機を用いた防災行政無線システムを提供することを目的とする。
【課題を解決するための手段】
【０００８】
上記目的を達成するため、本発明の第１の観点の防災無線放送受信機は、防災無線信号を受信する防災無線受信回路と、通常の放送信号を受信し、少なくとも局部発振信号に基づき中間周波信号を得る機能を有する放送受信回路と、上記防災無線受信回路と上記放送受信回路とで、共用可能な出力アンプと、上記防災無線受信回路および上記放送受信回路の出力を上記出力アンプに選択的に入力する切替スイッチと、上記防災無線信号を受信して無い場合には上記放送受信回路の出力を選択し、上記防災無線信号を受信している場合には上記防災無線受信回路の出力を選択するように上記切替スイッチに指示する回路と、を有し、上記放送受信回路の局部発振周波数が中間周波数分だけ上記放送信号の周波数に加算するように設定される。
【０００９】
好適には、上記防災無線受信回路は、上記通常の放送信号を受信している状態であっても、防災無線信号を受信したことを検知する検知手段を備え、上記検知手段により防災無線信号が検知されていない場合には、上記切替スイッチは、上記放送受信回路の出力を選択し、上記検知手段により防災無線信号が検知された場合には、上記切替スイッチは、上記防災無線受信回路の出力を選択する。
【００１０】
好適には、上記検知手段は、上記防災無線受信回路の出力信号に含まれる雑音の大きさが予め設定された値より大きいか小さいかを比較し、雑音の方が大きい場合には防災無線が検知されていないと認識し、雑音の方が小さい場合には防災無線信号が検知されたと認識する。
【００１１】
好適には、上記放送信号はＦＭ放送信号であり、上記防災無線信号の周波数帯は、上記ＦＭ放送信号の周波数から上記中間周波数分だけ減じた周波数帯あるいは当該周波数帯近傍に設定されている。
【００１２】
本発明の第２の観点の防災行政無線システムは、防災無線信号を送信する親局と、上記親局からの防災無線信号を受信可能な防災無線放送受信機と、を有し、上記防災無線放送受信機は、防災無線信号を受信する防災無線受信回路と、通常の放送信号を受信し、少なくとも局部発振信号に基づき中間周波信号を得る機能を有する放送受信回路と、上記防災無線受信回路と上記放送受信回路とで、共用可能な出力アンプと、上記防災無線受信回路および上記放送受信回路の出力を上記出力アンプに選択的に入力する切替スイッチと、上記防災無線信号を受信して無い場合には上記放送受信回路の出力を選択し、上記防災無線信号を受信している場合には上記防災無線受信回路の出力を選択するように上記切替スイッチに指示する回路と、を有し、上記放送受信回路の局部発振周波数が中間周波数分だけ上記放送信号の周波数に加算するように設定される。
【発明の効果】
【００１３】
本発明によれば、通常放送受信回路の局部発振信号の影響を抑止でき、防災無線受信機の受信能力の低下を防止できる利点がある。
【発明を実施するための最良の形態】
【００１４】
以下、本発明の実施の形態について図面に関連付けて説明する。
【００１５】
図１は、本発明に係る防災行政無線システムの構成例を示す図である。
【００１６】
図１に示す防災行政無線システム１００は、親局１０１と、各家庭３０１に設けられた戸別受信機である防災無線放送受信機１と、たとえば、市町村の地域別に設置される屋外拡声受信装置２０１とを有する。
親局１０１は、たとえば、市町村の役場に設置され、災害等の緊急時に緊急放送を無線信号で出力する。
親局１０１は、行政事務に関する情報を、所定の時間毎、たとえば、朝と夕方の決められた時間に無線信号で出力する。
親局１０１から出力される防災無線信号は、たとえば、極く狭い周波数帯域のＦＭ波で送信される。その周波数帯は、６８ＭＨｚ〜７０ＭＨｚであり、ＦＭ放送の一部の放送周波数帯の近傍の周波数帯である。
【００１７】
図２は、上記の各家庭３０１に設けられる防災無線放送受信機の一実施形態を示す構成図である。
図２に示すように、防災無線放送受信機１は、受信アンテナ１１、防災無線受信回路１２、ラジオ放送（ＡＭ／ＦＭ）受信回路１３、オーディオアンプ（出力アンプ）１４、スピーカ１５、および切替スイッチ１６を主構成要素として有している。
【００１８】
受信アンテナ１１は、上記の親局１０１からの防災無線信号を受信したり、また、一般に放送されているＡＭ／ＦＭ放送を受信するアンテナであり、防災無線受信回路１２とＡＭ／ＦＭ受信回路１３と共用される。
【００１９】
防災無線受信回路１２は、防災無線を受信し所定の検波等の所定の処理を行う防災ラジオ回路１２１と、スケルチ回路１２２とを有する。
【００２０】
防災ラジオ回路１２１は、防災無線を受信して検波等の所定の処理の行い、得られた電気信号である防災信号を切替スイッチ１６に出力する。
より具体的には、防災ラジオ回路１２１は、たとえば、親局１０１からの無線信号の周波数帯域のＦＭ波のみを受信可能に設定されており、受信アンテナ１１を介して親局１０１からの無線信号を受信して防災信号Ｓ１２１を切替スイッチ１６に出力する。
【００２１】
スケルチ回路１２２は、ＦＭ波の受信を行い、防災無線（防災電波）を受信したか否かを判別し、受信したと判別した場合には防災ラジオ回路１２１の出力信号Ｓ１２１を選択し、受信していないと判別した場合にはＡＭ／ＦＭ受信回路１３の出力信号Ｓ１３を選択してオーディオアンプ１４に出力するように指示するスケルチ信号Ｓ１２２を切替スイッチ１６に出力する。
【００２２】
すなわち、スケルチ回路１２２は、通常の放送信号を受信している状態であっても、防災無線信号を受信したことを検知する検知手段として機能する。そして、スケルチ回路１２２により防災無線信号が検知されていない場合には、切替スイッチ１６は、ＡＭ／ＦＭ受信回路１３の出力信号Ｓ１３を選択してオーディオアンプ１４に出力する。スケルチ回路１２２により防災無線信号が検知された場合には、切替スイッチ１６、防災ラジオ回路１２１の出力信号Ｓ１２１を選択してオーディオアンプ１４に出力する。
【００２３】
本実施形態のスケルチ回路１２２は、防災ラジオ回路（防災無線受信回路）１２１の出力信号に含まれる雑音の大きさが予め設定された値より大きいか小さいかを比較し、雑音の方が大きい場合には防災無線が検知されていないと認識し、雑音の方が小さい場合には防災無線信号が検知されたと認識する。
【００２４】
ここで、スケルチとは、ＦＭ受信機において、選局時に局間に発生するノイズを低減もしくは削減するために、同調時と非同調時のＳＮ比の差を検知して、ＳＮ比が規定値より小さいとき、ノイズが多いものとして出力をオフ、ＳＮ比が規定値より大きいときは、ノイズが少ないものとして出力をオンさせる機能のことをいう。
本実施形態の防災無線受信回路１２においては、このスケルチ機能を使って、放送が無い状態では受信回路出力をオフ、放送受信状態では受信回路出力をオンさせている。また、このときのスイッチング信号で、バンド切り替えや、オーディオアンプ、ラジオ受信回路のオン、オフを制御する。
【００２５】
図３は、スケルチ出力により切替スイッチの制御状態を示す図である。
図３に示すように、本実施形態においては、スケルチがオンの場合、防災出力をオフ、ＡＭ／ＦＭ出力をオン、スケルチがオフの場合には防災出力がオン、ＡＭ／ＦＭ出力をオフするように制御される。
【００２６】
ＡＭ／ＦＭ受信回路１３は、ＡＭラジオ回路１３１、およびＦＭラジオ回路１３２を有し、受信アンテナ１１の受信したＡＭ／ＦＭ放送の無線信号を同調、中間周波への、検波等を行って電気信号である放送信号Ｓ１２を切替スイッチ１６に出力する。
図示しない、ＡＭ／ＦＭスイッチをオンすることによってＡＭ／ＦＭ受信回路１３を受信可能な状態とする。
【００２７】
図４は、本実施形態に係るＦＭラジオ回路の構成例を示す回路図である。
【００２８】
図４のＦＭラジオ回路１３２は、アンテナ１１により受信された高周波信号を増幅する高周波増幅回路１３２１、増幅後の高周波信号を受けて同調動作を行う高周波同調回路１３２２、同調結果に応じた周波数の局部発振信号を出力する局部発振回路１３２３、局部発振信号に基づいて高周波同調回路１３２２の出力信号を中間周波信号に変換する混合中間周波回路１３２４、中間周波信号を検波する検波回路１３２５、および検波信号を低周波出力信号Ｓ１３２として出力する低周波出力回路１３２６を有している。
【００２９】
このような構成を有するＦＭラジオ回路１３２においては、局部発振回路１３２３の発振周波数が防災無線の周波数（６８ＭＨｚ〜７０ＭＨｚ）と同じまたは近傍になると、防災無線受信信号が干渉を受ける。
そこで、本実施形態においては、局部発振信号の発振周波数を１０．７ＭＨｚだけプラス側に設定している。このように設定すると、発振周波数が（７６〜９０ＭＨｚ）＋１０．７ＭＨｚ＝８６．７〜１００．７ＭＨｚとなり、防災無線周波数に重なる場合が無く、防災無線信号に対する干渉を大幅に減少させることができる。
【００３０】
オーディオアンプ１４は、基本的には、ＦＭ／ＡＭ受信回路１３の専用アンプであるが、防災無線受信回路１２と共用する形態となっており、切替スイッチ１６により選択的に入力されるラジオ放送の音声信号または防災放送の音声信号を増幅してスピーカ１５に出力する。
スピーカ１５は、オーディオアンプ１４で増幅された音声信号を出力する。
【００３１】
切替スイッチ１６は、上述したように、防災無線受信回路１２のスケルチ信号に応じて防災ラジオ回路１２１の出力Ｓ１２１またはＡＭ／ＦＭ受信回路１３の出力信号Ｓ１３のいずれかを選択してオーディオアンプ１４に出力する。
【００３２】
次に、上記構成の防災無線放送受信機１の動作を図５に関連付けて説明する。
【００３３】
防災無線放送受信機１の使用者が図示しない電源をオンし、たとえばＦＭラジオ放送を聴いた場合には、ＦＭ波は、ＡＭ／ＦＭ受信回路１３で受信され、所定の処理を受けて低周波出力として、切替スイッチ１６に出力される。
このとき、防災無線受信回路１２においても狭帯域ＦＭ波の受信が行われている。スケルチ回路１２２において、防災電波を受信しているか否かの判別が行われ、この場合、受信していないことからスケルチオンが切替スイッチ１６に報知される。
その結果、オーディオアンプ１４を介してスピーカ１５から放送音声が出力される。
【００３４】
たとえば、このＡＭ／ＦＭ放送を受信している状態で、親局１０１側から防災無線信号を防災無線受信機１２で受信すると、スケルチオフが切替スイッチ１６に報知される。
その結果、オーディオアンプ１４を介して親局１０１からの防災放送がスピーカ１５を通じて聴取することができる。
【００３５】
以上のように、本実施形態によれば、防災無線信号を受信する防災無線受信回路１２と、通常の放送信号を受信し、少なくとも局部発振信号に基づき中間周波信号を得る機能を有するＡＭ／ＦＭ受信回路１３と、防災無線受信回路１２とＡＭ／ＦＭ受信回路１３とで、共用可能な出力アンプ１４と、防災無線受信回路１２およびＡＭ・ＦＭ受信回路１３の出力をオーディオアンプ１４に選択的に入力する切替スイッチ１６と、防災無線信号を受信して無い場合にはＡＭ／ＦＭ受信回路１３の出力を選択し、防災無線信号を受信している場合には防災無線受信回路１２の出力を選択するように切替スイッチ１６に指示する回路１２２と、を有し、ＦＭ放送受信回路の局部発振周波数が中間周波数分だけＦＭ放送信号の周波数に加算するように設定されることから、通常のＡＭ／ＦＭ受信回路１３の局部発振信号の干渉の影響を抑止でき、防災無線受信機の受信能力の低下を防止できる利点がある。
すなわち、干渉を低減でき、ＦＭラジオ回路１３２の局部発振周波数を中間周波数分だけＦＭ放送周波数に加算するように設定することにより、受信感度の大幅な改善を実現することができる。
【図面の簡単な説明】
【００３６】
【図１】本発明に係る防災行政無線システムの構成例を示す図である。
【図２】各家庭に設けられる防災無線放送受信機の一実施形態を示す構成図である。
【図３】スケルチ出力により切替スイッチの制御状態を示す図である。
【図４】本実施形態に係るＦＭラジオ回路の構成例を示す回路図である。
【図５】本実施形態の動作を説明するための図である。
【符号の説明】
【００３７】
１・・・防災無線放送受信機、１１・・・受信アンテナ、１２・・・防災無線受信回路、１２１・・・防災ラジオ回路、１２２・・・スケルチ回路、１３・・・ラジオ放送（ＡＭ／ＦＭ）受信回路、１３１・・・ＡＭラジオ回路、１３２・・・ＦＭラジオ回路、１３２１・・・高周波増幅回路、１３２２・・・高周波同調回路、１３２３・・・局部発振回路、１３２４・・・混合中間周波変換回路、１３２５・・・検波回路、１４・・・オーディオアンプ、１５・・・スピーカ、１６・・・切替スイッチ。
【図１】
2007043641.tif 000003
【図２】
2007043641.tif 000004
【図３】
2007043641.tif 000005
【図４】
2007043641.tif 000006
【図５】
2007043641.tif 000007